【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
動脈または静脈内に永久的に移植するよう構成された金属製の拡張可能な本体であって、
遠位領域と、一般的に前記遠位領域に対向する近位領域と、前記遠位領域から前記近位領域へと移行する中間領域と、前記近位領域と遠位領域間で近位〜遠位に延びる中心軸と、
前記拡張可能な本体の外面及び前記拡張可能な本体の内面を定義するために前記中間領域を通じて前記遠位領域から前記近位領域へと通常連続して延びる壁であって、前記内面は前記拡張可能な本体の中心空隙を定義する、前記壁と、
近位頸部と、遠位頸部と、近位ノーズコーンと、遠位ノーズコーンと、及び１つ以上のエラストマー系弁と、
を含む、前記拡張可能な本体と、
３重内腔送達カテーテルアセンブリであって、
近位端及び前記近位端に通常対向する遠位端をさらに含む縦方向に延びる本体と、前記送達カテーテルの前記遠位端は前記拡張可能な本体の前記領域に連結し、
前記近位端から前記遠位端へと続き、ガイドワイヤを受けるよう構成された第１内腔を定義する第１中空部材シャフトと、
前記拡張可能な本体の前記近位端から前記遠位端へ、かつ前記中心空隙へと液状媒体の通過させる第２内腔を定義する第２中空部材シャフトと、
前記近位端から前記遠位端へ、かつ前記拡張可能な本体の前記位置近くの前記血管内腔へと液状媒体を通過させる第３内腔を定義する第３中空部材シャフトであって、
前記第３中空部材シャフトは、前記送達カテーテルの前記残部から分離でき、前記拡張した拡張可能な本体は、前記第３中空部材シャフトと前記送達カテーテルアセンブリコンポーネントを別々に引き出すことで、前記送達カテーテルから分離できる、前記第３中空部材シャフトと、
を含む、前記３重内腔送達カテーテルアセンブリと、
を備える、医療用デバイスであって、
前記１つ以上のエラストマー系弁は、前記送達カテーテルから分離する時に近位頸部または遠位頸部に近づくよう構成され、それにより前記拡張可能な本体の前記中心空隙内の圧力が、前記送達カテーテルからの分離後に前記拡張した拡張可能な本体の外側の前記圧力よりも低いかまたは等しくなり、
前記拡張可能な本体は、送達可能な構成から拡張した構成へと拡張するよう構成され、前記拡張可能な本体は、粘着剤、接着剤、または溶接なしで摩擦嵌合により前記送達カテーテルに取り付けられ、
前記拡張可能な本体が前記送達可能な構成である時、前記壁は、前記中心軸に対して時計回りに、または前記中心軸に対して反時計回りに折り重ねられた複数のプリーツを有するプリーツ状構成であり、前記拡張可能な本体の折り重ね領域を形成する、
前記医療用デバイス。
【請求項２】
前記拡張した拡張可能な本体が、前記送達カテーテルからの分離後、生体空間内で自身を前記拡張した構成を維持するための十分な強度を持ち、前記拡張した拡張可能な本体及び前記送達カテーテルの分離後に前記拡張した構成を少なくとも引き起こす補助をするかまたは前記拡張した構成を維持するのに、前記患者由来でない、硬質または半硬質材料または部材が、前記拡張可能な本体の前記内部容積内に必要ではない、請求項１に記載の医療用デバイス。
【請求項３】
前記第１中空部材シャフト及び前記第２中空部材シャフトが、第１近位ハブで第１カテーテルアセンブリを形成し、前記第１カテーテルアセンブリが前記金属製の拡張可能な本体を係合し、前記第３中空部材シャフトが第２近位ハブを持つ第２カテーテルアセンブリであり、
前記第１近位ハブ及び前記第２近位ハブが配置構成で係合し、
前記第１近位ハブ及び前記第２近位ハブが、分離構成で離れ、前記第１カテーテルアセンブリ及び前記第２カテーテルアセンブリが別々に引き出され、前記第１カテーテルアセンブリからの前記拡張可能な本体の分離をもたらす、請求項１に記載の医療用デバイス。
【請求項４】
前記第１内腔が、前記送達カテーテルの中心に位置し、前記近位端から前記遠位端へと連続している、請求項１に記載の医療用デバイス。
【請求項５】
前記第２内腔が、前記第２中空部材シャフトの内壁と前記第１中空部材シャフトの外壁の間の環状隙間によって定義され、前記送達カテーテルの前記近位ハブと前記拡張可能な本体の中心空隙または空間の間に流体連通を可能にする、請求項１に記載の医療用デバイス。
【請求項６】
前記第３内腔が、前記第３中空部材シャフトの内壁と前記第２中空部材シャフトの外壁の間の環状隙間によって定義され、前記送達デバイスの近位ハブと前記金属製の拡張可能な本体の前記位置近くの血管セグメント内腔の間に流体連通を可能にする、請求項１に記載の医療用デバイス。
【請求項７】
前記第１中空部材シャフトが、
ポリアミドといったようなポリマーを含む外層と、
編まれた金属を含む中間層であって、前記中間層は前記外層及び内層の間に配置される前記中間層と、
ＰＴＦＥ、またはポリアミド／ＰＴＦＥ化合物といった潤滑性コーティングを含む前記内層と、
を含む、請求項１に記載の医療用デバイス。
【請求項８】
前記第２中空部材シャフトが、
ポリアミドといったようなポリマーを含む１つの層と、
編まれた金属を含む第２層であって、前記中間層は前記外層及び内層の間に配置される、前記第２層と、
を含む、請求項１に記載の医療用デバイス。
【請求項９】
前記第３中空部材シャフトが、
潤滑性外面コーティングと、
ポリアミドまたはペバックスといったようなポリマーを含む外層と、
コイル状金属ワイヤを含む中間層であって、前記中間層は前記外層及び内層の間に配置される前記中間層と、
ＰＴＦＥ、またはポリアミド／ＰＴＦＥ化合物といった潤滑性コーティングを含む前記内層と、
を含む、請求項１に記載の医療用デバイス。
【請求項１０】
前記第３中空部材シャフトの前記壁が、５５ショアーＤと等しいかまたはより大きいショアーデュロメータ硬度を持つ材料を含む、請求項９に記載の医療用デバイス。
【請求項１１】
前記拡張した拡張可能な本体が前記送達デバイスから分離する時、前記１つ以上のエラストマー系弁が閉じる、請求項１〜３のいずれか１つに記載の医療用デバイス。
【請求項１２】
前記拡張可能な本体の頸部のうち１つかまたは両方における開口部が、前記拡張可能な本体と前記送達カテーテルの分離後に前記１つ以上のエラストマー系弁によって封鎖される、請求項１〜３のいずれか１つに記載の医療用デバイス。
【請求項１３】
前記拡張した拡張可能な本体が前記送達デバイスから分離する時、前記１つ以上のエラストマー系弁が閉じ、かつ前記拡張可能な本体の頸部のうち１つかまたは両方における開口部が、前記拡張可能な本体と前記送達カテーテルの分離後に前記１つ以上のエラストマー系弁によって封鎖される、請求項１〜３のいずれかに記載の医療用デバイス。
【請求項１４】
前記１つ以上のエラストマー系弁が、ポリマーディスクを含む、請求項１〜３のいずれか１つに記載の医療用デバイス。
【請求項１５】
前記１つ以上のエラストマー系弁が、ノーズコーンへと注入された液状ポリマー材料を含む、請求項１〜３のいずれかに記載の医療用デバイス。
【請求項１６】
前記１つ以上のエラストマー系弁が、シリコーンゴムを含む、請求項１〜３のいずれか１つに記載の医療用デバイス。
【請求項１７】
前記１つ以上のエラストマー系弁が、円形の孔、直径に沿うスリット、または２つの直径を横切る直交スリットを含むような中心オリフィスを含む、請求項１に記載の医療用デバイス。
【請求項１８】
前記拡張可能な本体及び前記送達カテーテルの分離前に、前記第１中空部材シャフトまたは前記第２中空部材シャフトが前記拡張可能な本体に取り付けられたエラストマー系遠位弁へと挿入され、前記エラストマー系近位弁が前記第１中空部材シャフトまたは第２中空部材シャフトに対して封鎖する、請求項１〜３のいずれか１つに記載の医療用デバイス。
【請求項１９】
前記１つ以上のエラストマー系弁が、前記近位頸部のみ、前記遠位頸部のみ、または前記近位及び遠位頸部の両方を封鎖するよう構成される、請求項１〜３のいずれか１つに記載の医療用デバイス。
【請求項２０】
前記１つ以上のエラストマー系弁が、ノーズコーンへと統合される、請求項１〜３のいずれか１つに記載の医療用デバイス。
【請求項２１】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成する、請求項１〜３のいずれか１つに記載の医療用デバイス。
【請求項２２】
前記１つ以上のエラストマー系弁がノーズコーンへと統合され、前記第１及び第２中空部材シャフトの前記第１中空部材シャフト、前記第２中空部材シャフトが、前記拡張可能な本体またはノーズコーンへと付けられた前記１つ以上のエラストマー系弁のうち少なくとも１つに挿入される、請求項１〜３のいずれか１つに記載の医療用デバイス。
【請求項２３】
前記第２中空部材シャフトの前記遠位端が、前記拡張可能な本体の前記近位頸部へと挿入され、エラストマー系スリーブの前記遠位端が前記拡張可能な本体の前記近位頸部または前記近位ノーズコーンに取り付けられ、前記エラストマー系スリーブの前記遠位端が前記拡張可能な本体の前記近位頸部及び前記第２中空部材シャフトの前記遠位端上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成する、請求項１〜３のいずれか１つに記載の医療用デバイス。
【請求項２４】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記エラストマー系スリーブが熱可塑性ポリウレタンを含む、請求項１〜３のいずれか１つに記載の医療用デバイス。
【請求項２５】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記１つ以上のエラストマー系弁が前記近位頸部のみ、前記遠位頸部のみ、または前記近位及び遠位頸部の両方を封鎖するよう構成され、前記エラストマー系スリーブが熱可塑性ポリウレタンを含む、請求項１〜３のいずれか１つに記載の医療用デバイス。
【請求項２６】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記１つ以上のエラストマー系弁がノーズコーンへと統合され、前記エラストマー系スリーブが熱可塑性ポリウレタンを含む、請求項１〜３のいずれか１つに記載の医療用デバイス。
【請求項２７】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記エラストマー系スリーブが熱可塑性ポリウレタンを含む、請求項１〜３のいずれか１つに記載の医療用デバイス。
【請求項２８】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記第１及び第２中空部材シャフトの前記第１中空部材シャフト、前記第２中空部材シャフトが、前記拡張可能な本体へと、またはノーズコーンへと取り付けられた前記１つ以上のエラストマー系弁のうち１つへと挿入され、前記エラストマー系スリーブが熱可塑性ポリウレタンを含む、請求項１〜３のいずれか１つに記載の医療用デバイス。
【請求項２９】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記第２中空部材シャフトの前記遠位端が前記拡張可能な本体の前記近位端へと挿入され、前記エラストマー系スリーブが熱可塑性ポリウレタンを含む、請求項１〜３のいずれか１つに記載の医療用デバイス。
【請求項３０】
前記第２中空部材シャフトの前記遠位端が、前記拡張可能な本体の前記近位頸部へと挿入され、エラストマー系スリーブの前記遠位端が前記拡張可能な本体の前記近位頸部または前記近位ノーズコーンに取り付けられ、前記エラストマー系スリーブの前記遠位端が前記拡張可能な本体の前記近位頸部及び前記第２中空部材シャフトの前記遠位端上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記１つ以上のエラストマー系弁のうち少なくとも１つがシャフトと摩擦嵌合を形成する、請求項１〜３のいずれか１つに記載の医療用デバイス。
【請求項３１】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記１つ以上のエラストマー系弁がノーズコーンへと統合され、前記エラストマー系スリーブが熱可塑性ポリウレタンを含み、前記１つ以上のエラストマー系弁のうち少なくとも１つがシャフトと摩擦嵌合を形成する、請求項１〜３のいずれか１つに記載の医療用デバイス。
【請求項３２】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記エラストマー系スリーブが熱可塑性ポリウレタンを含み、前記１つ以上のエラストマー系弁のうち少なくとも１つがシャフトと摩擦嵌合を形成する、請求項１〜３のいずれか１つに記載の医療用デバイス。
【請求項３３】
前記第２中空部材シャフトの前記遠位端が、前記拡張可能な本体の前記近位頸部へと挿入され、エラストマー系スリーブの前記近位端が前記第２中空部材シャフトに取り付けられ、前記エラストマー系スリーブの前記遠位端が前記拡張可能な本体の前記近位頸部上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記第１及び第２中空部材シャフトの前記第１中空部材シャフト、前記第２中空部材シャフトが、前記拡張可能な本体へと、またはノーズコーンへと取り付けられた前記１つ以上のエラストマー系弁のうち１つへと挿入され、前記エラストマー系スリーブが熱可塑性ポリウレタンを含み、前記１つ以上のエラストマー系弁のうち少なくとも１つがシャフトと摩擦嵌合を形成する、請求項１〜３のいずれか１つに記載の医療用デバイス。
【請求項３４】
前記第２中空部材シャフトの前記遠位端が、前記拡張可能な本体の前記近位頸部へと挿入され、エラストマー系スリーブの前記遠位端が前記拡張可能な本体の前記近位頸部または前記近位ノーズコーンに取り付けられ、前記エラストマー系スリーブの前記遠位端が前記拡張可能な本体の前記近位頸部及び前記第２中空部材シャフトの前記遠位端上に引き伸ばされ、前記エラストマー系スリーブと前記拡張可能な本体の前記近位頸部の間に摩擦嵌合を形成し、前記拡張可能な本体の前記近位頸部と前記第２中空部材シャフトの前記遠位端の間に摩擦嵌合を形成し、前記エラストマー系スリーブが熱可塑性ポリウレタンを含み、前記１つ以上のエラストマー系弁のうち少なくとも１つがシャフトと摩擦嵌合を形成する、請求項１〜３のいずれか１つに記載の医療用デバイス。
【請求項３５】
伸縮セグメントが前記拡張可能な本体の遠位頸部へと取り付けられ、かつ前記拡張可能な本体の前記中心空隙へと延び、前記第１中空部材シャフトの前記遠位端が伸縮セグメントと係合し、かつ前記伸縮セグメント及び前記第１中空部材シャフトの前記遠位端が前記拡張可能な本体の前記中心空隙を通じて２つのパートのブリッジセグメントを形成するよう結び付く、請求項１に記載の医療用デバイス。
【請求項３６】
前記伸縮セグメントが硬質である、請求項３５に記載の医療用デバイス。
【請求項３７】
前記伸縮セグメントが金属を含む、請求項３６に記載の医療用デバイス。
【請求項３８】
前記第１及び第２近位ハブの前記係合が、前記第３内腔の注入中に漏出を防ぎ、さらに、前記第１及び第２近位ハブが離れる時、前記第２近位ハブが、前記第１及び第２近位ハブが離れる時の前記第３内腔の注入中の漏出を防ぐための弁を含む、請求項３に記載の医療用デバイス。
【請求項３９】
前記第１及び第２近位ハブの前記係合が、前記第３内腔の注入中に漏出を防ぎ、さらに、前記第１及び第２近位ハブが離れる時、前記第２近位ハブが、前記第１及び第２近位ハブが離れる時の前記第３内腔の注入中の漏出を防ぐための弁を含まない、請求項３に記載の医療用デバイス。
【請求項４０】
前記拡張可能な本体が、３から５０ミクロンの範囲の壁厚を有する、請求項１〜３のいずれか１つに記載の医療用デバイス。
【請求項４１】
前記拡張可能な本体の前記壁が、少なくとも１つの層を備え、前記少なくとも１つの層は金属層である、請求項１〜３のいずれか１つに記載の医療用デバイス。
【請求項４２】
前記拡張可能な本体の前記壁が、少なくとも１つの層を備え、前記少なくとも１つの層は金属層であり、前記金属層が金を含む、請求項１〜３に記載の医療用デバイス。
【請求項４３】
前記拡張可能な本体の前記壁の少なくとも一部が、電鋳法で形成される、請求項４１に記載の医療用デバイス。
【請求項４４】
前記拡張可能な本体の前記壁の少なくとも一部が、アニーリングされる、請求項４１に記載の医療用デバイス。
【請求項４５】
前記拡張可能な本体が、単一のローブを有する、請求項１〜３に記載の医療用デバイス。
【請求項４６】
前記拡張した拡張可能な本体が、略楕円形である全体形状を含む、請求項１〜３のいずれか１つに記載の医療用デバイス。
【請求項４７】
前記拡張した拡張可能な本体が、湾曲端を持つ略円筒形である全体形状を含む、請求項１〜３のいずれか１つに記載の医療用デバイス。
【請求項４８】
前記拡張可能な本体の前記外面が、おおよそ０．０１μｍからおおよそ１μｍの面高さを有する面構造を含む、請求項１〜３のいずれか１つに記載の医療用デバイス。
【請求項４９】
前記拡張可能な本体が、前記送達カテーテルの前記近位端から前記拡張可能な本体の前記中心空隙への液状媒体の前記通過中に、前記拡張可能な本体の前記中心空隙へ３気圧またはそれよりも小さい圧力を加えることで前記送達可能な構成から前記拡張した構成へと拡張するよう構成される、請求項１〜３のいずれか１つに記載の医療用デバイス。
【請求項５０】
前記拡張可能な本体が、単一のローブを含み、前記拡張可能な本体が、約２ｍｍから約３０ｍｍの範囲の拡張した直径を有する、請求項１〜３に記載の医療用デバイス。
【請求項５１】
前記拡張した拡張可能な本体が、略楕円形である全体形状を含み、前記拡張可能な本体が、約２ｍｍから約３０ｍｍの範囲の拡張した直径を有する、請求項１〜３のいずれか１つに記載の医療用デバイス。
【請求項５２】
前記拡張した拡張可能な本体が、湾曲端を持つ略円筒形である全体形状を含み、前記拡張可能な本体が、約２ｍｍから約３０ｍｍの範囲の拡張した直径を有する、請求項１〜３のいずれか１つに記載の医療用デバイス。
【請求項５３】
前記拡張可能な本体が、約５ｍｍから約６０ｍｍの間の拡張した長さを有する、請求項１〜３のいずれか１つに記載の医療用デバイス。
【請求項５４】
前記拡張可能な本体が、単一のローブを含み、前記拡張可能な本体が、約５ｍｍから約６０ｍｍの間の拡張した長さを有する、請求項１〜３に記載の医療用デバイス。
【請求項５５】
前記拡張した拡張可能な本体が、略楕円形である全体形状を含み、前記拡張可能な本体が、約５ｍｍから約６０ｍｍの間の拡張した長さを有する、請求項１〜３のいずれか１つに記載の医療用デバイス。
【請求項５６】
前記拡張した拡張可能な本体が、湾曲端を持つ略円筒形である全体形状を含み、前記拡張可能な本体が、約５ｍｍから約６０ｍｍの間の拡張した長さを有する、請求項１〜３のいずれか１つに記載の医療用デバイス。
【請求項５７】
前記送達カテーテルの前記外径が、２〜５Ｆｒである、請求項１〜３のいずれか１つに記載の医療用デバイス。
【請求項５８】
送達可能な構成である前記拡張可能な本体の前記外径が、２〜８Ｆｒである、請求項１〜３のいずれか１つに記載の医療用デバイス。